Podtech/llm-jp-corpus-v4-ja_patent huggingface dataset:
(57)【要約】【課題】袖垂れの表面を移動する途中で落下してしまう虞れがある。【解決手段】瓦部１の側部に袖垂れ２を一体形成すると共に、該袖垂れ２の外側面下端部に導水体３を、葺設状態において上方の導水体３の頭側が下方の導水体３の尻側の上方に重なる様に外方突設させる。そして、袖垂れ２を濡らした雨水の全てが確実に導水体３上に導かれて該導水体３上を流下し、その下方の導水体３上に順次直接落下移行させて、全てが軒先まで送られる。【選択図】図４
2011153476.tif 000002
【特許請求の範囲】
【請求項１】
瓦部の側部に袖垂れを一体形成すると共に、該袖垂れの外側面下端部に導水体を、葺設状態において上方の導水体の頭側が下方の導水体の尻側の上方に重なる様に外方突設したことを特徴とする袖瓦。
【発明の詳細な説明】
【技術分野】
【０００１】
本発明は、切妻屋根面の両側部に葺設する袖瓦に関する。
【背景技術】
【０００２】
従来、かかる袖瓦にあっては、瓦部の左右の何方か一側方に袖垂れを形成し、瓦部の頭側の幅を袖垂れの厚み分外側へ広くすると共に、当該側部に沿って袖垂れを形成したものが一般的に使用されているが、風を伴わず真っ直ぐに降雨を受けているときには問題が少ないが、風を伴い斜めに降雨するときは、前記袖垂れを濡らした雨水が、袖垂れのうち切妻屋根の軒先側下端エッジに集まり、その下端エッジから雨滴として落下して雨垂れの音を発生させ、その雨垂れ音が、快適な住環境下にある住宅の住人の安眠を妨げる場合がある。
【０００３】
そこで、前記袖垂れの外側下端部に、袖瓦の１段上位に葺設される上位袖瓦の袖垂れからの雨垂れの落下を抑止する手段を設けて、任意の袖瓦が風を伴い斜めに降雨を受けた時、上記抑止手段が、その袖瓦の１段上位の葺設される上位袖瓦の袖垂れから落下する雨滴を受け止める様にしたものが見受けられる（例えば、特許文献１参照）。
【０００４】
具体的には、前記抑止手段は、前記袖瓦の尻部から頭部寄りの部位まで延びて、その間に前記任意の袖瓦の１段上位に敷設される上位袖瓦の袖垂れからの雨滴を受けることが可能な構造で、前記抑止手段は前記袖瓦の頭部側まで完全には延長されていないが、前記抑止手段の上に載って流下する雨水を、表面張力の作用により前記袖垂れに面状に拡散させて、雨滴が形成されない。
つまり、抑止手段上を流下した雨水は、水の表面張力の作用により、その先の袖垂れの表面を移動してゆき、下端エッジが存在する部位には、下位に葺設される袖瓦の抑止手段が存在するから、その下端エッジから雨滴が雨垂れとなって落下することが直接阻止される。
【先行技術文献】
【特許文献】
【０００５】
【特許文献１】特開２００７−１３８４９５号公報
【発明の概要】
【発明が解決しようとする課題】
【０００６】
しかし、上記従来技術にあっては、上方の抑止手段上を流下した雨水は上方の抑止手段上に直接移行しないため、表面張力の作用により袖垂れの表面を移動する途中で落下してしまう可能性を否定出来ないなど、解決せねばならない課題があった。
【課題を解決するための手段】
【０００７】
本発明は、上記従来技術に基づく、袖垂れの表面を移動する途中で落下してしまう虞れがある課題に鑑み、瓦部の側部に袖垂れを一体形成すると共に、該袖垂れの外側面下端部に導水体を、葺設状態において上方の導水体の頭側が下方の導水体の尻側の上方に重なる様に外方突設した袖瓦によれば、袖垂れを濡らした雨水の全てが確実に導水体上に導かれて該導水体上を流下し、その下方の導水体上に直接落下移行させる様にして、上記課題を解決する。
【発明の効果】
【０００８】
要するに本発明は、瓦部の側部に袖垂れを一体形成すると共に、該袖垂れの外側面下端部に導水体を外方突設したので、袖垂れを濡らした雨水の全てを確実に導水体上に導いて該導水体上を流下させることが出来、而もこの導水体を、葺設状態において上方の導水体の頭側が下方の導水体の尻側の上方に重なる様に外方突設したので、葺設状態における上方の袖瓦の導水体上の雨水を、直接その下方の袖瓦の導水体上に落下移行させることが出来るため、軒先までの間での雨垂れの発生を完全に防止することが出来る等その実用的効果甚だ大である。
【図面の簡単な説明】
【０００９】
【図１】本発明に係る袖瓦の平面、正面、右側面を示す斜視図である。
【図２】図１の袖瓦の平面、背面、左側面を示す斜視図である。
【図３】図１の袖瓦の底面、背面、左側面を示す斜視図である。
【図４】図１の袖瓦の敷設状態を示す斜視図である。
【発明を実施するための形態】
【００１０】
本発明に係る袖瓦にあっては、瓦部１の何方か一側方に袖垂れ２を一体形成しており、該袖垂れ２の外側面下端部に平板状の導水体３を外方突設し、該導水体３は、葺設状態における上方の導水体３の頭側が下方の導水体３の尻側の上方に重なる様に形成されている。
又、上記導水体３は、外側端部及び尻側端部に沿う様に水返し４が形成され、該水返し４の頭側部位の幅を頭側へ徐々に広くしている。
【００１１】
尚、上記実施例における袖瓦は、図面上、瓦部１の頭側の幅を袖垂れ２の厚み分外側へ広くすると共に、当該側部に沿う様に袖垂れ２を屈曲板状に形成したものとしているが、かかる形態に限定せず、例えば瓦部１の頭側の幅を尻側より袖垂れ２の厚み分外側へ広くした台形状として袖垂れ２を平板状としても良い。
又、瓦部１は平板状であるが、波形状、湾曲板状であっても良い。
【００１２】
次に、本発明に係る袖瓦の作用について説明する。
本発明に係る袖瓦を、図４に示す様に葺設すると、袖垂れ２の表面を濡らした雨滴がその表面を流下して導水体３上に導かれて該導水体３上を流下し、その頭側端より下方の導水体３の尻側上に順次全てが流れ落ち、最下段の袖瓦の導水体３の頭側端より軒樋（図示せず）に全てが流れ込む。
【符号の説明】
【００１３】
１  瓦部
２  袖垂れ
３  導水体
【図１】
2011153476.tif 000003
【図２】
2011153476.tif 000004
【図３】
2011153476.tif 000005
【図４】
2011153476.tif 000006
(57)【要約】【課題】ガードレール設置道路において降雪量が多い場合でも、効率よく除雪可能となる除雪用ブレードを提供する事を課題とする。【解決手段】除雪車輌の前面に装備されるブレードにおいて、ガードレール側のブレードの形状を高さにおいてガードレールより５０ｃｍ程度高く設定し、そのブレードの下部構造は雪を掻き上げる緩やかな傾斜構造とし、上部構造は曲面を有効に利用した排雪しやすい構造とする。よってガードレールより高い位置にて有効に排雪する事ができ従来の様に車線内に多くの雪が残ることもない。【選択図】図２
2011153474.tif 000002
【特許請求の範囲】
【請求項１】
ブルドーザー、ホイルローダー等除雪車輌の前面に装備される除雪ブレードにおいて、ガードレール設置箇所の除雪作業が有効となるべくブレードの排雪箇所をガードレールより高い位置に設定する事を特徴とする除雪用ブレード。
【発明の詳細な説明】
【技術分野】
【０００１】
本発明は、除雪車輌に装備されるブレードに関する。
【背景技術】
【０００２】
現在、道路上の除雪に利用される建設機械として、ブルドーザー、ホイルローダー、トラックグレーダー等があり、又除雪ブレードを装備した専用車輌もある。又、豪雪地域では道路上より捌けきれない雪が多い為ロータリー車を併用する場所も多い。
【０００３】
除雪の際の効率を計る為(例えば、特許文献１参照。)の様に除雪ブレードの道路中央側に側板を設け排雪もれを防ぐものや、(例えば、特許文献２参照。)の様に排雪の飛散を制御する為の排雪制御ブレードシュート装置を装着したものもある。
【先行技術文献】
【特許文献】
【０００４】
【特許文献１】実開昭４９−０７４７０６号公報
【特許文献２】特開２００９−１０２８３９号公報
【発明の概要】
【発明が解決しようとする課題】
【０００５】
しかし道路における除雪作業の場合、排雪する方向にガードレールが設置されている箇所が多く除雪作業の妨げとなっている。降雪量が少ない場合はさして問題とはならないものの降雪量が多い場合は多量の雪が道路脇に残る為、道路幅が狭くなり特に片側２車線の道路では大型車の並走が不可能となり非常に危険であった。
【０００６】
その為夜間ロータリー車やトラックグレーダー及びダンプカー等により雪の搬出も随時行われていた。又、ガードレールに替わりガードパイプに設置替えを行う地域も増えつつあるがガードパイプも適切とはいえず工事費も嵩む事となる。
【０００７】
そこでガードレールが設置された道路において有効に排雪できる除雪用ブレードを提供する事を課題とする。
【課題を解決するための手段】
【０００８】
まずブレードの形状に特徴を有するものであり、除雪の際従来のブレードにおいては排雪される位置はブレードの高さ全体に及ぶものであり、ガードレールが設置された道路においては排雪効率が非常に悪いものとなる。
【０００９】
そこでブレードの形状を変え従来のブレードの高さより高くし、下部構造は雪を掻き上げる緩やかな傾斜構造とし、上部構造は曲面を有効に利用した排雪しやすい形状とする。よってガードレールより高い位置にて排雪する事ができ車線内に雪を残す事なく除雪が可能となる。
【発明の効果】
【００１０】
よって従来の様に除雪後に車線内に残る雪も殆どなく、道路幅も確保できる為大型車の通行の妨げにもならない。又ガードパイプへの設置替えも必要なく、雪の搬出も不要となり費用の大幅削減となる。
【図面の簡単な説明】
【００１１】
【図１】除雪用ブレード装着図
【図２】ガードレール側のブレード透視図
【図３】ガードレール側のブレード側面図
【図４】道路中央側のブレード側面図            (本来は逆向きであるが比較し易い為逆方向にて記載)
【図５】突起部を設けたブレードの正面図
【図６】図５のA−A´断面拡大図
【発明を実施するための形態】
【００１２】
ブレードの形態としては多種に及ぶものとなるが、主な働きと利便性を考慮して一つをあげると、まずブレードの高さとしては図１より道路中央側を７０ｃｍ、路肩側（ガードレール側）を１２０ｃｍとする。ガードレールの高さを７０ｃｍとすると排雪有効高は５０ｃｍとなる（図２参照）。
【００１３】
次にブレードの形状として路肩側（図３参照）の場合下部は緩やかな傾斜となり雪を掻き上げる際の揚力を増大させ排雪効果を高める形状とする。上部は曲線性が強くなりつまりトラックグレーダーのブレードに近い形状となりこれも排雪効果を高める。又排雪箇所の先端は管楽器の先端の様に広がる形状のものも効果的と思われる。
【００１４】
道路中央側（図４参照）の場合は、やはりトラックグレーダーのブレードの様に曲線性が強い形状とする事によって雪の巻き込みが頻繁になり路肩側への雪の流れが円滑となる。
【００１５】
ブレードの横断面構造としては、道路中央側のブレードの形状から路肩側のブレードの形状へと徐々に移行する形状が適切と思われる。ブレードの大きさとしてはやや大きめとなるが除雪専用の為強度的には薄型で対応でき重量的に問題はないと考えられる。
【００１６】
又、ガードレール直近で掻き上げられる雪はガードレールの凹凸によって抑力が阻害されやすい為、ガードレールの高さ程度の側板を設ける事も効果的と思われる。該側板は（特許文献１参照）に酷似するものの使用箇所と使用目的においては異なるものである。
【００１７】
又、排雪の効率を高める為にブレードに突起部を設け排雪方向へ導く方法（図５図６参照）も有効と思われる。
【００１８】
本発明による除雪用ブレードは車輌の前面に装備する形態でありトラックグレーダーに装着する場合は高さに制限がある為形状を変える必要がある。
【図１】
2011153474.tif 000003
【図２】
2011153474.tif 000004
【図３】
2011153474.tif 000005
【図４】
2011153474.tif 000006
【図５】
2011153474.tif 000007
【図６】
2011153474.tif 000008
(57)【要約】      （修正有）【課題】従来の発電は、そのエネルギー源として火力、水力、風力、太陽光力、原子力を利用とするものであり、従来の発電は、コストがかかり過ぎ、温暖化ガスの排出とか放射能汚染など環境を悪くするなどの不都合があったのに対し、環境を汚染することなく、コストの安い発電方法を提供する。【解決手段】燃焼炉は従来の火力発電所のものを使い、水素ガスと酸素ガス又は空気を化学結合（燃焼）させて得られたエネルギーにより発電する。【選択図】なし【特許請求の範囲】
【請求項１】
水素ガスと酸素ガス又は空気を化学結合（燃焼）させて得られたエネルぎーによる発電。
【発明の詳細な説明】
【技術分野】
【０００１】  本発明は、発電のエネルギー源を水素ガスとするものである。【０００２】従来の発電は、そのエネルギー源として火力、水力、風力、太陽光力、原子力を利用とするものであった。
【発明の開示】
【発明が解決しようとする課題】
【０００３】  しかし、いずれの方法もコストがかかり過ぎた。
又、温暖化ガスの排出とか放射能汚染など環境を悪くする。その点、水素発電では排出されるのは水蒸気のみであり、クリーンでエコロジーの観点から見ても優れているしコストもかからない。
本発明は、前述のような不都合を解決する事を課題とする。
【課題を解決するための手段】
【０００４】この課題を解決するための請求項１の発明は、電気エネルギーを得るのに水素を利用することを特徴とする。
水素の燃焼炉は従来の火力発電所のものを使えばよい。【０００５】  略
【発明の効果】
【０００６】  本発明により環境を汚染することなく、コストの安い発電をすることが出来る。
【発明を実施するための最良の形態】
【０００７】本発明はアイデアであり図を書く必要はないと考える。【０００８】  略【０００９】  略
【産業上の利用可能性】
【００１０】本発明による発電は、工業的に量産出来るので、産業上の利用可能性を有する。
【図面の簡単な説明】
【００１１】  図面なく略す。
(57)【要約】【課題】地球温暖化を防ぐため、京都議定書が作られ、二酸化炭素などの温室効果ガスの排出削減を義務付けられている。いかにして温暖化を最小限に抑えることができるかが全世界の課題である。【解決手段】本案は小さなエネルギーで大きなエネルギーを発生させ、石油等資源に乏しい我国に限らず、自然エネルギーを利用するので、動力資源となる燃料は全く不要で、無煙、無臭地球上どこにでも小さな設備で施設することができ、雨天風・気候・季節に関係なく年中、日夜を問わず稼動させることができ、自然環境に優しく新しいエネルギーの開発である。【選択図】図９
2011153615.tif 000002
【特許請求の範囲】
【請求項１】
ドーナツ型の剛体の錘を２個作り主軸を中心に回転する腕の両端に吊るし、合力が０の状態を作って主軸を外力で回転させると、吊り下げた双方の錘が垂直になったとき双方の錘はつり合いの状態でなくなり、各々の１個の単独の物体となり、ドーナツ型の錘の内径の長さだけ物体の全重量が落下し、重力エネルギーを発生させそのエネルギーを電気エネルギーに変える装置。
【発明の詳細な説明】
【技術分野】
【０００１】重力エネルギーを利用しているものは、例えば、水力発電は水を落下させて動力エネルギーでタービンを動かして電気を発生させているが、それには、エネルギーを発生させるのに必要な大量の水が必要で、一度使用した水は二度と利用できない。【０００２】本案は自然エネルギーを活用している中で、重力エネルギーを生み出し、そのエネルギーを電気エネルギーに変えるものである。
【背景技術】
【０００３】一度落下させた物体を元の高さに戻すことは、落下した物体のエネルギーに等しいエネルギーが必要で、余分のエネルギーは発生しない。【０００４】    本案は液体でなく剛体をつり合い状態を利用し（合力が０）つり合い状態を保ちながら、同じ剛体を何度も何度も落下させて、そのエネルギーを連続的に発生させるところが、本案の特徴である。
【発明の開示】
【発明が解決しようとする課題】
【０００５】地球温暖化が問題視されている現在、石油の使用により地球全体が汚されており、悪影響を及ぼし動植物を死に追いやっている。本案のエネルギーは自然のエネルギーを活用しているので、公害もなく又、無限のエネルギーで美しい地球を守るのに公害等をなくすものである。最大の課題は二酸化炭素（ＣＯ２）の削減である。
【課題を解決するための手段】
【０００６】現在の自然エネルギーの活用は、水力発電・火力発電・風力発電原子力発電等があるが、水力発電はダム建設の費用と土地買収等に莫大な資金が必要で、又、雨の少ない年は水量が足りなくなり、充分な発電ができない場合もあり、火力発電は石油燃料等、発電するのに経費が常時必要で石油価格の高騰もあり経済的でない。又、煙害もある。風力発電は風があるときのみ発電ができ、風がないと電力を得ることができないので不安定である。太陽光発電は夜間は発電ができない。原子力発電は放射能漏れ、機械の老朽化制御棒の破損等人体環境に悪影響を及ぼしかねない。又、使用済み核燃料の処理等、社会問題がある。
本案は公害もなく自然の無限のエネルギーを利用しており、全国津々浦々どこにでも建設することができる。
【発明の効果】
【０００７】同じ自然エネルギーであっても、火力、風力、原子力等のエネルギーは何等かの公害を生み地球温暖化に悪影響を及ぼしているが、本案は本来の自然エネルギーを変えないで応用するので効果は充分ある。【０００８】又、本案は剛体を吊るした位置を変えないで主軸を回転させ、剛体を落下させて重力を発生させているところが特徴で、合力が０を利用しているので、剛体の重さに関係なく主軸に与えた力だけ回転するので、小さな力で大きな力を生み出す。
例えば、１００ｋｇの錘を両端に吊るし、１ｋｇで主軸を回転させることができるので、１００倍くらいの重力エネルギーを生み出すことができ効果は大きい。【０００９】本案は小型発電機で建設費用等少なくてすみ、総体的に家庭用の発電に適しており、例えばドーナツ型の錘を約１トンを使用したとすれば、一般家庭での約１０世帯分の電気を供給することができ、新エネルギーとしての効果は高いと思料される。
【発明を実施するための最良の形態】
【００１０】本案は重力エネルギーを発生させ、活用することにあるので、図１のドーナツ型の錘を２個を作り図２のように主軸を中心に同じ長さの腕の位置に吊るし両腕を回転させる。図３は図２の変形で錘を腕の下に下げても、腕の上に乗せても同じ距離であれば重力は垂直に働いているので、つり合いの状態は保つ。【００１１】次に、図４のように図２を改良し、両腕をクランク型に作り錘を表と裏側に吊り下げるように作ると、図５の正面（断面）の構造になる。【００１２】次に図６の型ちの台を２個作り、図７の５の位置に取り付ける。下にある錘が上昇させると錘は台の上に乗って図７の矢印のように移動し、最高部になったとき錘はドーナツ型の内輪の直径の距離（イ）だけ一瞬落下する。
本案の一番の特徴である。吊るした物体の位置を変えないで、物体を落下させ、エネルギーを生み出すこと。【００１３】続いて、図８の（２）図のような主軸（Ａ）の上に図８の（１）図の主軸（Ｂ）を作り、ピストン９と発電機８を図のように設える。【００１４】落下させた錘のエネルギー（重量）をピストンに連動させピストンの上下運動を以って、回転エネルギーで電気を起こす。
以上の機能を設けて、自然エネルギーを活用する。
【産業上の利用可能性】
【００１５】本案は引力の自然のエネルギーを活用し、小さな力で１００倍程の大きなエネルギーを発生させる考案で、石油等のようなエネルギー源となる資源は不要でエネルギーは無限にある。【００１６】本案は季節、天候に関係なく又、風力発電のように建設場所に関係なく、一日中、２４時間必用な時に発電することができ、他のエネルギーと比し、利点が大で産業上自然エネルギーとして活用利用は大きい。
【図面の簡単な説明】
【００１７】
【図１】錘の型状図
【図２】錘をつり合いの状態図
【図３】錘を吊り下げた変形図
【図４】図２をクランク型に改良し、錘を吊り下げた側面図
【図５】図４の正面図（断面）
【図６】台の型と台と錘との位置図
【図７】主軸を回転させ、下部の錘を上昇させて台を通過させ、最高の位置に移動、落下させるまでの略図
【図８】主軸（Ａ）の上部に同じように、主軸（Ｂ）を作り、それにピストンと発電機を設えた図
【図９】本案全体の正面図（断面）
【図１０】本案全体の側面図（断面）
【符号の説明】
【００１８】１  錘
２  主軸（Ａ）
３  腕
４  外力
５  台
６  台の足
７  主軸（Ｂ）
８  発電機
９  ピストン
【図１】
2011153615.tif 000003
【図２】
2011153615.tif 000004
【図３】
2011153615.tif 000005
【図４】
2011153615.tif 000006
【図５】
2011153615.tif 000007
【図６】
2011153615.tif 000008
【図７】
2011153615.tif 000009
【図８】
2011153615.tif 000010
【図９】
2011153615.tif 000011
【図１０】
2011153615.tif 000012
(57)【要約】【課題】感温変色塗料の特性を活用し、住居の屋根や壁面に使用する事により、断熱や保温等に効果的な働きを促す事を課題とする。【解決手段】住居の屋根や壁面に使用される製品に対し、白色で塗装しその上に感温変色塗料の黒色を塗布する。感知温度を４０℃で設定した場合冬は黒色となり蓄熱性に富み夏は白色の為住居の冷房に対し保温効果が得られる。【選択図】なし【特許請求の範囲】
【請求項１】
マイクロカプセル配合の感温変色塗料の利用において、黒色系と白色系とを使い分ける事によりその熱特性を利用し、断熱や保温作用に効果的に働く事を特徴とするエコ塗料。
【発明の詳細な説明】
【技術分野】
【０００１】
本発明は、塗料に関する。
【背景技術】
【０００２】
現代、塗料においてマイクロカプセルの配合によって、設定温度を感知し、変色する性質の感温変色塗料が開発されている(例えば、特許文献１参照。)。又その感知温度の高さを任意の位置で設定する事により(例えば、特許文献２参照。)の様に目的に応じた玩具を提供する事もできる。
【先行技術文献】
【特許文献】
【０００３】
【特許文献１】特許第４０９３９４０号公報
【特許文献２】特許第３８５７２８０号公報
【発明の概要】
【発明が解決しようとする課題】
【０００４】
そこで感温変色塗料の特性を活用し、住居の屋根や壁面、又車輌や容器に使用する事により断熱や保温等に対しより効果的な働きを促す事を課題とする。
【課題を解決するための手段】
【０００５】
住居の屋根は一般的に濃い色が多く白や淡色系は汚れが目立つ事や熱吸収率の低い事などから多くは使われていない。しかし、黒色や濃い色は特性として光を吸収し夏季などは高熱になりやすく、その為屋根材として陶器瓦やスレート瓦等断熱性に優れたものが多用される。
【０００６】
そこで例えば瓦を白色で着色し、その上に感温変色塗料の黒色を塗布し、その感応温度を４０℃に設定する。すると冬は黒色の為収光性に富み屋根材も蓄熱する。又、夏季に屋根材の温度が４０℃を越えると感温変色塗料が透明となり下地に塗られた白色状態となる為、光の反射率は高く屋根材の蓄熱を抑える事ができる。又、外壁に利用した場合はその効果も同様に得られるものとなる。
【発明の効果】
【０００７】
よって建物内の空気の温度は冬はより暖かく夏はより涼しくなる。当然冷暖房費の節約となりCO２削減に対しても貢献できるものである。
【発明を実施するための形態】
【０００８】
形態としては塗装可能なものであれば多用できるものであり、屋根材、外壁材、車輌や物置にも流用できる。特にトタン葺きの屋根においては非常に効果的と思われる。応用できる物として塗装可能であれば靴や鞄にも効果があり保温を目的としたケースや携行魔法瓶等も有効である。又、色合いにおいては黒や白に限定されるものではなく濃い色と淡色であれば収光率の差において効果を得られるものである。
(57)【要約】【課題】この発明は、ビニールヒモや、結束機等を使わずに雑誌や新聞紙等の古紙を簡単にす早く、束ねるための粘着テープに関するものである。【解決手段】ダンボールや茶封筒等の丈夫な茶色の紙以外の紙等で作ったテープ（１）に粘着材（２）を付ける。【選択図】図１
2011153281.tif 000002
【特許請求の範囲】
【請求項１】
茶封筒やダンボール等の茶色の丈夫な紙以外の紙等で作ったテープ（１）に粘着材（２）をつけた物。
【発明の詳細な説明】
【発明の詳細な説明】
【技術分野】
【０００１】この発明は雑誌や新聞紙等の古紙と一緒に溶かして再生出来る、雑誌や新聞紙を束ねる為の粘着テープに関するものである。
【背景技術】
【０００２】従来雑誌や新聞紙等の古紙をリサイクルのゴミとして出す場合は専用の結束機で束ねたり、ナイロンのヒモで、束ねたりしていた。これは結束機で束ねるのも、ナイロンのヒモで束ねるのも難しく、主婦にとってきわめてわずらわしいことであった。
【発明が解決しようとする課題】
【０００３】この発明は雑誌や新聞紙等の古紙を簡単に束ねて、リサイクルに出せる様にする物は無いかという、強い要望にこたえる為に発明されたのである。
【課題を解決するための手段】
【０００４】いま、その構成を説明すると、ダンボール等の茶色の丈夫な紙以外の紙等で作ったテープ（１）に粘着材（２）を付ける。
【発明を実施するための形態】
【０００５】次に本発明の実施の形態を述べると、雑誌や新聞紙等の古紙を束ねて、テープを巻いてリサイクルゴミとして出す。
雑誌や新聞紙等の古紙と一緒に溶けるので再生される。
【発明の効果】
【０００６】だから雑誌や新聞紙にグルグル、テープを巻き付けて、ビニールヒモ等を使わなくても、簡単に束ねる事が出来リサイクルゴミとして出せる。
【図面の簡単な説明】
【図１】本発明の斜視図
【符号の説明】１．ダンボールや茶封筒等の茶色い丈夫な紙以外の紙等で作ったテープ
２．粘着材
【図１】
2011153281.tif 000003
(57)【要約】【課題】これまでのパーマ・ストレートパーマ・トリートメント・カラー剤添加及びヘヤートリートメントやヘヤーローション等の頭髪用化粧料は、添加及び塗布をするがパーマ・ストレートパーマ・トリートメント・カラー剤添加では添加剤の効果が分かりにくくヘヤートリートメントやヘヤーローション等の頭髪用化粧料は、毎日塗布し後何日後に結果までの日数をかけ結果が出し使用を中断すると結果が出ないのが普通であった。【解決手段】パーマ・ストレートパーマ・トリートメント・カラー剤添加及びヘヤートリートメントやヘヤーローション等の頭髪用化粧料は、パーマ・ストレートパーマ・トリートメント・カラー剤には５〜４０％添加し、ヘヤートリートメントやヘヤーローション等は髪に適量塗布し乾燥させることによる頭髪用化粧料【特許請求の範囲】
【請求項１】
アミノ酸およびそれらの誘導体からなる群から選ばれる成分とプロポリス並びにたんぱく質を配合したパーマ・ストレートパーマ・トリートメント・カラー剤添加及びヘヤートリートメント頭髪用化粧料を提供する
【請求項２】
プロポリスを使用した、パーマ・ストレートパーマ・トリートメント・カラー剤添加及びヘヤートリートメント頭髪用化粧料を提供する
【請求項３】
アミノ酸およびそれらの誘導体からなる群から選ばれる成分とプロポリス並びにたんぱく質並びにヒアルロンサンを配合したパーマ・ストレートパーマ・トリートメント・カラー剤添加及びヘヤートリートメント頭髪用化粧料を提供する
【発明の詳細な説明】
【発明の概要】
【発明が解決しようとする課題】
【０００１】美容、理容における髪にかかわるすべての溶液に本液を、添加並びに髪に塗布することにより今までにないツヤ・さわり心地・髪の質感・毛生え等を長期にわたり保持する溶液開発
【課題を解決するための手段】
【０００１】アミノ酸及びその誘導体からなる群から選ばれる成分とプロポリス並びにたんぱく質を配合した頭髪用化粧料です【０００２】プロポリスを使用する事によりパーマ・ストレートパーマ・カラー剤に適量配合し・トリートメントには、適量塗布し、使用できる頭髪用化粧料です【０００３】パーマ・ストレートパーマ・カラー剤に適量約５〜４０％添加し使用する【０００４】ヘヤートリートメント・ヘヤーロションの場合、頭髪用化粧料を髪の毛に適量塗布し、使用する
【発明の効果】
【０００１】パーマ・ストレートパーマ・カラー剤に適量約５〜４０％添加し使用する事によりパーマでは、リッジのかかりが良くなる【０００２】ストレートパーマでは、しなやかでハリがありしかも自然な仕上がりが出来ます【０００３】カラーでは、カラー直後の洗浄時より、しなやかで、ハリがあり自然な状態での仕上がりで、色むらが無くひじょうに良い状態で仕上がる【０００４】ヘヤートリートメント・ヘヤーロションの場合、適量塗布し、乾燥（自然乾燥でも良い）する事によりツヤ・しなやかさ・ハリが長期間１５〜９０日以上持続する頭髪用化粧料である【０００５】ドライヤー乾燥後、アイロン等で熱をかけることにより、なおいっそうツヤを出すことができる
(57)【要約】      （修正有）【課題】粉体石灰を安全清潔便利に保持でき、再焼でき、通湿性を有し保存時は湿気を遮断する循環使用石灰内蔵容器の構造を提供する。【解決手段】手段１：正方体、長方体、テトラ体、動物体、人形体、繭型１等の容器を通湿性のある陶器、炭素、微細孔のある鋳物等で耐熱石灰内蔵密閉容器とする。手段２：消石灰を再焼し、生石灰にする、石灰２を内蔵し通湿性ある容器を左右連結部３で連結する。手段３：生石灰を保存する場合は、遮通気性、遮通湿性のアルミ箔、合成樹脂４等で容器を保護する構造とする。手段４：熱利用をする場合は保護膜をはずし湿水、湿潤状態に容器ごと露出し、発熱させ、この利用方法を循環使用する。【選択図】図１
2011153058.tif 000002
【特許請求の範囲】
【請求項１】
正方体、長方体、テトラ体、動物体、人形体、繭型、等の容器を通湿性のある陶器、炭素、微細孔のある鋳物等で製造する石灰内蔵容器。
【請求項２】
消石灰を再焼し、生石灰にする、石灰内蔵耐熱浸湿性容器。
【請求項３】
生石灰を保存時は、遮通気性、遮通湿性の合成樹脂、アルミ箔等で容器を保護する構造とする。
【請求項４】
熱利用をする場合は保護膜をとり湿水、湿潤状態に容器ごと露出し、この利用方法を循環使用する。
【発明の詳細な説明】
【技術分野】
【０００１】
本発明は、消石灰を再焼する事により、熱（加湿による発熱）を再（熱エネルギーを保存）利用出来る生石灰に復元し、この動作を循環使用するための石灰内蔵、耐熱浸湿性容器に関するものである。          
【背景技術】
【０００２】
石灰水和熱を利用した酒燗、加熱出来るお弁当、等がある。
【０００３】
しかし、毒性はそれほどないが、厄介であり、消石灰と生石灰は、再加熱で、加湿熱発生を循環出来るにもかかわらず、石灰は使い捨てにされている。
【０００４】
この改善策として、石灰粉体を保持し、浸湿性を有する、再焼出来る石灰内蔵の耐熱通湿性容器とする。
【特許文献１】特開２００８−１３８９０８
【非特許文献１】生石灰で卵焼き（インターネット）
【発明の開示】
【発明が解決しようとする課題】
【０００５】
課題１
粉体石灰を安全清潔便利に保持できること。
課題２
消石灰を再焼し生石灰に出来ること。
課題３
容器は通湿性を有し保存時は湿気を遮断すること。
浸湿する事により発生熱を利用し、この動作を循環利用する構造とすること。
【課題を解決するための手段】
【０００６】
手段、１
本発明は、繭型等の容器を耐熱通湿性のある材料で製造する。
【０００７】
手段、２
保存する場合は、遮通気性、遮通湿性の材料で保護する構造とする。
【０００８】
手段、３
熱利用をする場合は保護膜をとり湿水、する。
【発明の効果】
【０００９】
効果、１
本発明の、循環再焼用石灰内蔵容器は蓄熱循環利用が出来る。
【００１０】
効果、２
本発明の、循環再焼用石灰内蔵容器は密閉容器なので清潔安全に蓄熱利用出来る。
【００１１】
効果、３
円周分割パラボラアンテナ等の太陽熱、産業余熱蓄熱を蓄熱循環利用が構築出来る。
【発明を実施するための最良の形態】
【００１２】
形態、１
繭型等の容器を耐熱通湿性のある陶器、炭素、微細孔のある鋳物等で石灰内蔵容器とする。
【００１３】
形態、２
消石灰を再焼→生石灰→通湿→消石灰になる、工程を複数回循環出来る容器とする。
【００１４】
形態、３
保存する場合は、遮通気性、遮通湿性材料で容器を保護する構造とする。
【００１５】
形態、４
熱利用をする場合は保護膜をとり湿水、湿潤状態に容器ごと露出使用する。
【実施例】
【００１６】
実施例、１
正方体、長方体、テトラ体、動物体、人形体、繭型１、の容器を耐熱通湿性のある陶器、炭素、微細孔のある鋳物等で石灰内蔵容器とする。
【００１７】
実施例、２
石灰２、を内蔵する湿水耐熱容器１、を左右連結部３、で連結する。
【００１８】
実施例、３
保存する場合は、遮気性、遮湿性のアルミ箔、合成樹脂４、で容器を保護する構造とする。
【００１９】
実施例、４
熱利用をする場合は保護膜４、をはずし湿水、湿潤状態に容器ごと露出し、これを循環使用する。
【産業上の利用可能性】
【００２０】
スターリングエンジン、熱発電素子、暖房、温水製造、解氷、解雪、料理熱、等
熱エネルギーを蓄熱利用出来、太陽熱エネルギー、産業余熱も蓄熱利用出来る。
【図面の簡単な説明】
【００２１】
【図１】湿水耐熱石灰内蔵容器切断面図。
【符号の説明】
【００２２】
１    湿水耐熱容器
２    内蔵石灰
３    左右接続部
４    遮気性、遮湿性、保護膜
【図１】
2011153058.tif 000003
(57)【要約】【課題】既存のサッシをそのままにして、ガラスだけを容易に取り替えることの出来るグレージングチャンネルが多く開発されているが、既存サッシ枠とガラス厚さの限界や、断熱性能面、施工面、価格面などの課題がある。【解決手段】本発明は、樹脂やゴムなど、弾力性の伴った素材を一体型で成形し、機能付エコガラスを収納するＵ字型グレージングチャンネルの底部に水はけ用窪みを設け、サッシ枠の取り付け部分に抜け防止用ヒダを付けたサッシ挿入突起部を設け、幅広の複層ガラスなどを、既存サッシに容易に取り付けられるような構成となっているまた、素材がゴム系、若しくは樹脂系であることから、熱を伝える率がアルミの１，０００分の１まで抑えられ、結露防止や断熱性能の効果が向上する他、素材を押し出し方式や研磨方式でライン形式で量産加工できるため、価格を安価に出来る。【選択図】図１
2011153506.tif 000002
【特許請求の範囲】
【請求項１】
弾力性の伴った素材で、機能付エコガラスを収納するＵ字型グレージングチャンネル▲１▼を若干内側につぼめ、該グレージングチャンネル▲１▼の底部に水はけ用窪み▲２▼を設け、該グレージングチャンネル▲１▼に機能付エコガラス▲３▼を収納する際、サッシ枠▲７▼の納まり部分に抜け防止用ヒダ▲４▼付きサッシ挿入突起部▲５▼を設け、該突起部に締め付けビス用孔▲６▼をあけた、一体型に成形した事を特徴とした機能付エコガラス装着用グレージングチャンネル。
【発明の詳細な説明】
【技術分野】
【０００１】本発明は、従来の単板ガラスが挿入されたアルミサッシをそのまま活用し、複層ガラスなど断熱、遮熱などのエコ機能を持たせたガラスを収納する技術に関するものである。
【背景技術】
【０００２】ガラスを装着するグレージングチャンネルは様々な種類のモノが使用されているが、従来のガラス装着用グレージングチャンネルの殆どがサッシ枠の内側寸法に納まる形状となっており、断熱性能を上げた複層ガラスなどのガラス厚さに極めて厳しい制限が加わる。
また、この問題を解決するため、アルミ成形材に緩衝材を貼り付け、狭いアルミ枠に装着するグレージングチャンネル（図４）も存在するが、形状が複雑で取り付け施工面、価格面、断熱性能面などに課題が残る。
【先行技術文献】
【０００３】
【特許文献１】特開平１０−７２９７８（［書類名］図面  図３）
【特許文献２】特開２０００−１９１５７７
【発明の概要】
【発明が解決しようとする課題】
【０００４】本発明は前述の課題を解決すべく為されたものであり、従来の単板ガラスが挿入されたアルミサッシをそのまま活用し、簡易に複層ガラスなど断熱、遮熱などのエコ機能を持たせた機能付エコガラスを収納する技術に関するものである。
【課題を解決するための手段】
【０００５】本発明は、弾力性の伴った硬質ゴム、若しくは硬質樹脂の素材で、機能付エコガラスを収納するＵ字型グレージングチャンネル▲１▼の溝を若干内側につぼめて成形する。該グレージングチャンネル▲１▼の底部に水はけ用窪み▲２▼を設け、該グレージングチャンネル▲１▼に機能付エコガラス▲３▼を収納する際、サッシ枠▲７▼の納まり部分に抜け防止用ヒダ▲４▼付きサッシ挿入突起部▲５▼を設け、該突起部に締め付けビス用孔▲６▼をあけた形状のグレージンチャンネルを一体型に成形した事を手段とする。
【発明の効果】
【０００６】グレージンチャンネル成形の際に、機能付エコガラス収納部分を内側に若干つぼめて成形してあるため、ガラスの収納後は確実にガラスをグリップする。【０００７】一体成形となっているため、壊れ難く、加工や施工作業が極めてし易くなる。【０００８】素材がゴム系、若しくは樹脂系なので、熱を伝える率がアルミの１，０００分の１まで抑えられ、結露防止や断熱性能の効果が向上する。【０００９】形状がシンプルなため、ガラス脱着作業が極めて能率的になり、更にはサッシへの装着も容易になる。【００１０】素材を押し出し方式や研磨方式でライン形式で量産加工できるため、価格を安価に出来る。
【図面の簡単な説明】
【００１１】
【図１】本発明の断面図と機能付エコガラス取り付け断面図。
【図２】本発明の単体断面図。
【図３】本発明の機能付エコガラス取り付け透視図。
【図４】従来技術で本発明のコンセプトに類似した形状図面
【発明を実施するための形態】
【００１２】本発明は、弾力性の伴った硬質ゴムや硬質樹脂などを使用するが、素材の線膨張係数の出来るだけ小さな素材を採用し、機能付エコガラスを収納するＵ字型グレージングチャンネル▲１▼の溝を内側につぼめて成形する事がポイントとなる。該グレージングチャンネル▲１▼の底部に水はけ用窪み▲２▼を本体の強度を阻害しない大きさに設ける。該グレージングチャンネル▲１▼に機能付エコガラス▲３▼を収納する際、サッシ枠▲７▼の納まり部分に抜け防止用ヒダ▲４▼付きの突起部分が、サッシ枠にきつく入る程度のサッシ挿入突起部▲５▼を設ける事で、機能付エコガラスが納まった後に安定した装着効果を発揮する。
【実施例１】
【００１３】素材をゴム系、或いは樹脂で成形した本発明の実施例。
【実施例２】
【００１４】成形素材を柔らかいうちに押し出し成形した本発明の実施例。
【実施例３】
【００１５】硬化した成形素材を、ライン上で研磨加工で成形をした本発明の実施例。
【実施例４】
【００１６】ガラスの幅やサッシの状況に合わせ、寸法を内外対称に成形した本発明の実施例。
【実施例５】
【００１７】ガラスの幅やサッシの状況に合わせ、寸法を内か外のどちらかがサッシ枠をはみ出す大きさに成形した本発明の実施例。
【実施例６】
【００１８】成形の際に露出部分の角を丸くして滑らかにした本発明の実施例。
【実施例７】
【００１９】素材の収縮率を勘案し、若干長めに成形したものを、施工時に縮めて挿入施工した本発明の実施例。
【産業上の利用可能性】
【００２０】本発明は、既存の単板ガラスのサッシを取り替える事も無く、また網戸の開閉に影響を与える事も無く、機能付エコガラスへの取替えが可能となる。【００２１】本発明は、機能付エコガラスへの取替え作業が短時間になる可能性がある。【００２２】本発明は、既存サッシを取り替える必要性がなく、安価な価格でエコ貢献が可能である。【００２３】本発明は量産性が高く、既存住宅のエコ対策として安価に使用出来る事から、ＣＯ２排出削減の促進など、住宅業界の活性化に寄与する可能性がある。
【符号の説明】
【００２４】▲１▼Ｕ字型グレージングチャンネル
▲２▼水はけ用窪み
▲３▼機能付エコガラス
▲４▼抜け防止用ヒダ
▲５▼サッシ挿入突起部
▲６▼締め付けビス用孔
▲７▼サッシ枠
【図１】
2011153506.tif 000003
【図２】
2011153506.tif 000004
【図３】
2011153506.tif 000005
【図４】
2011153506.tif 000006
(57)【要約】【課題】窯業系サイディングメーカーの標準施工に準じて通気層を設けた場合この通気層上に他の設備等を設置するに当たって、窯業系サイディングを押し込んでしまい、外壁が歪む又は割れる、欠けるなどの問題があり、その精度は職方の技術の良、不良に大きく左右されてしまう。尚ビス穴からの漏水が懸念される。【解決手段】ボードリーマビスの一定位置からはネジ山が無く尚この位置からは締め込みが出来ないように直径が大きくなっている。尚、傘下に柔軟性を持ち耐久性に優れた止水パッキンが取り付けられている。尚、この一定位置は各窯業系サイディングメーカーの仕様に基づき設定する。【選択図】図１
2011153510.tif 000002
【特許請求の範囲】
【請求項１】
ある一定位置より締め付けが出来ない構造を持つ事により窯業系サイディングの破損を防ぐ事が出来ることを特徴とするボードリーマビス及び木ビス
【請求項２】
傘下に柔軟性があって尚耐久性に優れた止水パッキンを取り付けることによりビス穴からの漏水を防ぐ事が出来る事を特徴とする請求項１記載のボードリーマビス及び木ビス
【発明の詳細な説明】
【技術分野】
【０００１】  この発明は、建築物外壁の窯業系サイディングに設備等を取り付ける際に使用するビスに関する。
【背景技術】
【０００２】  従来の鉄骨造建築物の外壁のサイディング上に設備等を取り付ける際に用いられるビスの例として図２に示すような形状の物が有る
【発明の概要】
【発明が解決しようとする課題】
【０００３】  しかしながら、以上の技術によれば、窯業系サイディングメーカーの標準施工に準じて通気層を設けた場合この通気層上に他の設備等を設置するに当たって、窯業系サイディングを押し込んでしまい、外壁が歪む又は割れる、欠けるなどの問題があり、その精度は職方技術の良、不良に大きく左右されてしまう。又その取り付け穴からの漏水が懸念される。そこでこの発明は、或る一定の位置よりは締め付け出来ず止水性に優れたビスを提供することを課題とする。
【課題を解決するための手段】
【０００４】  以上の課題を解決するために、第一発明は、一定位置以上は締め付け出来ないことを特徴とする設備取り付け用ビスである。【０００５】  また、第二発明は、ビスの傘下に柔軟性があって尚耐久性に優れた止水パッキンを取り付けることにより、ビス穴からの漏水を防ぐ事が出来る事を特徴とする設備取り付け用ビスである。
【発明の効果】
【０００６】  第一発明、または第二発明によれば、現在各窯業系サイディングを使用した建築物に各種設備を取り付けるときに起こりやすい窯業系サイディングの歪み、割れ、欠損等を均一な品質で防ぐ事ができるし又、ビス穴からの雨水等の浸入を防ぐ事が出来る。
【図面の簡単な説明】
【０００７】
【図１】この発明の一実施形態を示す形状図面である。
【図２】従来使用されているビスの例を示す図面である。
【発明を実施するための形態】
【０００８】  この発明の一実施形態を、図１に示す。
ボードリーマ付ビスの一定位置からはネジ山が無く尚この位置からは締め込みが出来ないように直径が大きくなっている。尚、傘下に柔軟性を持ち、耐久性に優れた止水パッキンが取り付けられている。尚、この一定位置は各窯業系サイディングメーカーの仕様に基づき設定する。
【０００９】「実施形態の効果」
この実施形態によれば、窯業系サイディングメーカーの標準施工に準じて通気層を設けた場合この通気層上に他の設備等を設置するに当たって、既存のビスでは窯業系サイディングを押し込んでしまい、外壁が歪む又は割れる、欠けるなどの問題があり、その精度は職方の技術の良、不良に大きく左右されてしまうという従来の設備取り付け用ビスの欠点をある一定位置より深く締め付けが出来なくする事によって補う事が出来、施工によって生じた窯業系サイディングの穴からの漏水を防ぐ事も出来る。
【他の実施形態】
図１の実施形態では、鉄骨下地に関しているが、木造の場合、先端のボードリーマ付ビスの先端形状を木用ビスにして、窯業系サイディングに先に穴を空けてから止めつけるようにすれば同様の効果が期待できる。又必要に応じて六角、プラス、＊などに対応する。
【符号の説明】
【００１０】Ａ    本発明のビスを取り付けた場合の正面図
Ｂ    柔軟性を持ち、耐久性に優れた止水パッキン
Ｃ    設備取り付けの被拘束部
Ｄ    窯業系サイディング外壁材
Ｅ    通気層
Ｆ    下地軽量鉄骨材
Ｇ    本発明の形状
Ｈ    ビスに附属するボードリーマー（実際は鉄骨貫通時に折れてしまう）
【図１】
2011153510.tif 000003
【図２】
2011153510.tif 000004
(57)【要約】【課題】  少子高齢化により、代々続くことの前提がくずれ、先祖の墓を守ることができなくなり、これから未来に向かって、自分個人が亡くなったとき入る墓を生前に用意するために、一代個人用墓石を提供する。【解決手段】  墓石（１）は、コンクリートで作り、御影石の模様を塗装し、前記墓石（１）の上面は、傾斜面にして、凹部（７）を作り、凹部（７）に名板プレート（６）を取り付け、前記墓石（１）の下部を中空構造にして、マス（２）にかぶせるように、上フタ式にして、マス（２）と骨つぼ（３）と台座（４）と小石（５）を備えた一代個人用墓石である。【選択図】図１
2011153507.tif 000002
【特許請求の範囲】
【請求項１】
墓石（１）は、コンクリートで作り、御影石の模様を塗装し、前記墓石（１）の上面は、傾斜面にして、凹部（７）を作り、凹部（７）に名板プレート（６）を取り付け、前記墓石（１）の下部を中空構造にして、マス（２）にかぶせるように、上フタ式にして、マス（２）と骨つぼ（３）と台座（４）と小石（５）を備えた一代個人用墓石。
【発明の詳細な説明】
【技術分野】
【０００１】  本発明は、一代限り個人用墓石の形状に関するものである。
従来の墓は、先祖代々続くことを前提としているが、少子高齢化が進み、これからは墓を維持することが難しくなってきた。
この発明は、後継者がいない人の一代限りの個人用の墓であり、骨壷、位牌が収納できるだけの大きさですむため、墓石、墓地とも小さくてすむので、価格も低額で、墓の構造も簡単で、設置もできて、地震にも強いことを特徴とする一代個人用墓石に関するものである。
【背景技術】
【０００２】  従来、個人用として、ロッカー式室内骨壇や野外集合合葬式の墓があった。
【先行技術文献】
【０００３】
【特許文献１】  特開平−２００３３０号公報
【特許文献２】  実用新案登録第０４３６９３号公報
【発明の概要】
【発明が解決しようとする課題】
【０００４】  そのため、次のような問題点があった。
墓は、先祖代々続くことを前提としているため、寺で決めた区画でしか墓地が立てられず、後継者がいない人でも同じ区画で購入しなければならず、無駄になることがあった。
本発明は、これらの問題点を解決するためになされたものである。
そこで、この発明は一代限り、個人用とすることで、小さな墓ですみ、墓石、墓地と安価に提供できるように工夫した。
【課題を解決するための手段】
【０００５】（イ）墓石（１）は、コンクリートで作り、御影石の模様を塗装する。
（ロ）前記墓石（１）の上面は、傾斜面にして、凹部（７）を作り、凹部（７）に名板プ    レート（６）を取り付ける。
（ハ）前記墓石（１）の下部を中空構造にして、マス（２）にかぶせるように、上フタ式    にする。
（ニ）マス（２）と骨つぼ（３）と台座（４）と小石（５）を備える。
本発明は以上のような構成された一代個人用墓石である。
【発明の効果】
【０００６】  本発明は、一代限り、個人用とすることで、墓石を小さくでき、そのことにより、墓地の面積少なくてすむ。
墓石の設置も簡単で、地震にも強く、安価な墓石ができる。
【図面の簡単な説明】
【０００７】
【図１】  本発明の断面の側面図である。
【図２】  本発明を設置した状態の側面図である。
【図３】  本発明の墓石の平面図である。
【図４】  本発明のマスの平面図である。
【発明を実施するための形態】
【０００８】  以下、本発明の実施の形態について説明する。
（イ）墓石（１）は、コンクリートで作り、御影石の模様を塗装する。
（ロ）前記墓石（１）の上面は、傾斜面にして、凹部（７）を作り、凹部（７）に名板プ    レート（６）を取り付ける。
（ハ）前記墓石（１）の下部を中空構造にして、マス（２）にかぶせるように、上フタ式    にする。
（ニ）マス（２）と骨つぼ（３）と台座（４）と小石（５）を備える。
本発明は以上のような構成である。
これを使用するときは、マス（２）を土中に埋め、その中に骨つぼ（３）を収納する。
マス（２）の下に小石（５）を敷き、その上の台座（４）を乗せ、骨つぼ（３）を置く。
名札プレート（６）は、陶器で作り、名入れ仕代墓石（１）の上に差し込んで接着剤で固定する。
マス（２）の下に小石を敷くことで、自然に換気ができる。
墓石（１）をコンクリートで作ることは、佛が先祖になる３３年後、墓石が必要でなくなったとき、粉砕処理がしやすく、リサイクルができる。
また、コンクリートの耐用年数が３０年〜５０年といわれているので、佛と一緒に３３年後消滅するのに便利である。
一代限り、個人用として、土に返ることを望む人のために必要である。
【符号の説明】
【０００９】    １  墓石
２  マス
３  骨つぼ
４  台座
５  小石
６  名札プレート
７  凹部
【図１】
2011153507.tif 000003
【図２】
2011153507.tif 000004
【図３】
2011153507.tif 000005
【図４】
2011153507.tif 000006
(57)【要約】【課題】  本発明は、食品を安全、衛生的に取り扱うことお目的とした簡単串抜き自具を提供する。【解決手段】  簡単串抜き自具、串抜き自具本体（１）を付けた状態から挟み込み（１Ａ,１Ｂ）を親指と、人差し指でつまみ、串先（５）の方向へずらせば一連の動きが完成し、安全衛生的に食べることを特徴とする簡単串抜き自具。【選択図】    図１
2011234979.tif 000002
【特許請求の範囲】
【請求項１】
串抜き自具本体（１）と、前記串抜き自具本体（１）に図解された挟み込み（１Ａ,１Ｂ） 、串軸（２）、切れ目（３）、串握り（４）、串先（５）、刺された物（６）からなる簡単串抜き自具であって、前記串抜き自具本体（１）の、前記挟み込み（１Ａ、１Ｂ）を上下に開き、前記切れ目（３）を、前記串握り（４）から前記串軸（２）へ挟み込み固定そして、前記串抜き自具本体（１）を前記串先（５）方向へずらすことにより前記刺された物（６）が食べやすくなることを特徴とする簡単串抜き自具。
【発明の詳細な説明】
【技術分野】
【０００１】
本発明は、串に自具を取り付け、簡単清潔に食べられるようにしたものである。
【背景技術】
【０００２】
今までの串付き焼き鳥、だんごなどは、串に刺したままである。
【発明の概要】
【発明が解決しようとする課題】
【０００３】
そのため次のような問題点があった。
（イ）串付き焼き鳥、だんごなどは、串先から食べると串がとがっているため危険である。
（ロ）横に食べると口の両端が汚れ不快である。
本発明は以上の問題点を解決しようとするものである。
【課題を解決するための手段】
【０００４】
串抜き自具本体の１Ａ、１Ｂに親指と人差し指ではさみ、串刺し５の方へずらすことにより課題を解決した。
【発明の効果】
【０００５】
串抜き自具本体（１）と、前記串抜き自具本体（１）に図解された挟み込み（１Ａ,１Ｂ） 、串軸（２）、切れ目（３）、串握り（４）、串先（５）、刺された物（６）からなる簡単串抜き自具であって、前記串抜き自具本体（１）の、前記挟み込み（１Ａ、１Ｂ）を上下に開き、前記切れ目（３）を、前記串握り（４）から前記串軸（２）へ挟み込み固定そして、前記串抜き自具本体（１）を前記串先（５）方向へずらすことにより前記刺された物（６）が食べやすくなる。
【０００６】
また、本発明の串付き焼き鳥、だんごなどは、串抜き自具を付けることにより安全に、衛生的に食べることができる。
【図面の簡単な説明】
【０００７】
【図１】本発明の側面図
【図２】本発明の平面図
【発明を実施するための形態】
【０００８】
以下、本発明の形態を説明する。
串抜き自具本体（１）と、前記串抜き自具本体（１）に図解された挟み込み（１Ａ,１Ｂ） 、串軸（２）、切れ目（３）、串握り（４）、串先（５）、刺された物（６）からなる簡単串抜き自具であって、前記串抜き自具本体（１）の、前記挟み込み（１Ａ、１Ｂ）を上下に開き、前記切れ目（３）を、前記串握り（４）から前記串軸（２）へ挟み込み固定そして、前記串抜き自具本体（１）を前記串先（５）方向へずらすことにより前記刺された物（６）が食べやすくなることを特徴とする簡単串抜き自具。
以上のように構成された簡単串抜き自具、に関するものである。
本発明を使用するときは、串抜き自具本体（１）の挟み込み（１Ａ，１Ｂ）を親指と、人差し指でつまみ、串先（５）の方向へずらしながら食べる。
【符号の説明】
【０００９】
１        串抜き自具本体
１Ａ      挟み込み
１Ｂ      挟み込み
２        串軸
３        切れ目
４        串握り
５        串先
６        刺された物
【図１】
2011234979.tif 000003
【図２】
2011234979.tif 000004